(57)【要約】【課題】施工が容易な便器装置を提供すること。【解決手段】便鉢１１ａに薬剤を吐出して洗浄する便器装置１であって、便鉢１１ａを有する便器部１０と、便器部１０の後方に配置され、薬剤を貯留する貯留部４及び貯留部４が取り付けられるベースプレート３１を有する機能部３０と、を備え、便器部１０は、ベースプレート３１に接続される接続部２を有し、接続部２には、貯留部４に設けられ薬剤が流出する流出口部４２が連通される、便器装置１である。【選択図】図２
2020002653.tif 000002
【特許請求の範囲】
【請求項１】
便鉢に薬剤を吐出して洗浄する便器装置であって、
前記便鉢を有する便器部と、
前記便器部の後方に配置され、前記薬剤を貯留する貯留部及び前記貯留部が取り付けられるベースプレートを有する機能部と、を備え、
前記便器部は、前記ベースプレートに接続される接続部を有し、
前記接続部には、前記貯留部に設けられ前記薬剤が流出する流出口部が連通される、便器装置。
【請求項２】
前記ベースプレートは、前記ベースプレートから下方に窪む取り付け凹部を有し、
前記取り付け凹部には、前記流出口部を受け入れるとともに前記流出口部から流出する前記薬剤が通過する貫通孔が形成される受け皿部が配置され、
前記流出口部及び前記受け皿部の貫通孔は、前記接続部に連通する、請求項１に記載の便器装置。
【請求項３】
前記ベースプレートは、前記受け皿部の前記貫通孔と連通し、前記取り付け凹部の下面から前記便器部側に突出する接続管を有し、
前記接続管は、前記接続部に挿入され、
前記接続部には、前記接続管と前記接続部の内側面との間の隙間を塞ぐシール部材が配置される、請求項２に記載の便器装置。
【請求項４】
前記貯留部は、前記ベースプレートに着脱可能な薬剤タンクにより構成され、
前記薬剤タンクは、
前記薬剤を収容するタンク本体と、
前記タンク本体の下部から下方に突出し、前記流出口部が形成される突出部と、
前記突出部内に配置され、前記流出口部を開閉可能な開閉弁と、を有し、
前記受け皿部は、前記突出部を内側に配置可能な寸法を有し、底面部から上方に向かって突出し前記突出部が前記受け皿部に接続されると同時に前記開閉弁を押し上げるボスを有する、請求項２又は３に記載の便器装置。
【発明の詳細な説明】
【技術分野】
【０００１】
本発明は、便器装置に関する。
【背景技術】
【０００２】
従来、便鉢に洗浄水及び洗剤等の薬剤を用いて生成した泡を吐出し、便器を薬剤を含む泡で洗浄する便器装置が知られている。便器装置は、洗剤を収容するタンクが配置された機能部と、泡が吐出される便鉢を有する便器部と、を有する。機能部から便器部へ洗剤を供給するには、タンクにホースが接続され、ホースが便器部側へ延びるように配置される（例えば、特許文献１参照）。
【先行技術文献】
【特許文献】
【０００３】
【特許文献１】特開２０１７−４４００３公報
【発明の概要】
【発明が解決しようとする課題】
【０００４】
ホースを用いて洗剤を供給すると、タンクとホースの接続部における接続不良や、ホースの座屈による劣化や詰まりが発生しやすくなる懸念があった。
【課題を解決するための手段】
【０００５】
本発明は、便鉢（例えば、後述の便鉢１１ａ）に薬剤を吐出して洗浄する便器装置（例えば、後述の便器装置１）であって、前記便鉢を有する便器部（例えば、後述の便器部１０）と、前記便器部の後方に配置され、前記薬剤を貯留する貯留部（例えば、後述のタンク４）及び前記貯留部が取り付けられるベースプレート（例えば、後述のベースプレート３１）を有する機能部（例えば、後述の機能部３０）と、を備え、前記便器部は、前記ベースプレートに接続される接続部（例えば、後述の接続部２）を有し、前記接続部には、前記貯留部に設けられ前記薬剤が流出する流出口部（例えば、後述の流出口部４２）が連通される、便器装置に関する。
【０００６】
前記ベースプレートは、前記ベースプレートから下方に窪む取り付け凹部（例えば、後述の取り付け凹部３２）を有し、前記取り付け凹部には、前記流出口部を受け入れるとともに前記流出口部から流出する前記薬剤が通過する貫通孔（例えば、後述の貫通孔６１）が形成される受け皿部（例えば、後述の受け皿部６）が配置され、前記流出口部及び前記受け皿部の貫通孔は、前記接続部に連通することが好ましい。
【０００７】
前記ベースプレートは、前記受け皿部の前記貫通孔と連通し、前記取り付け凹部の下面から前記便器部側に突出する接続管（例えば、後述の接続管３２１）を有し、前記接続管は、前記接続部に挿入され、前記接続部には、前記接続管と前記接続部の内側面との間の隙間を塞ぐシール部材（例えば、後述のシール部材２８）が配置されることが好ましい。
【０００８】
前記貯留部は、前記ベースプレートに着脱可能な薬剤タンク（例えば、後述のタンク４）により構成され、前記薬剤タンクは、前記薬剤を収容するタンク本体（例えば、後述のタンク本体４０）と、前記タンク本体の下部から下方に突出し、前記流出口部が形成される突出部（例えば、後述の突出部４２１）と、前記突出部内に配置され、前記流出口部を開閉可能な開閉弁（例えば、後述の開閉弁４３）と、を有し、前記受け皿部は、前記突出部を内側に配置可能な寸法を有し、底面部（例えば、後述の底面部６３）から上方に向かって突出し前記突出部が前記受け皿部に接続されると同時に前記開閉弁を押し上げるボス（例えば、後述のボス６２）を有することが好ましい。
【発明の効果】
【０００９】
本発明によれば、施工が容易な便器装置を提供することができる。
【図面の簡単な説明】
【００１０】
【図１】本実施形態の便器装置の斜視図である。
【図２】本実施形態の機能部と便器部の接続部近傍を示す図である。
【図３】本実施形態の吐泡装置を説明する模式図である。
【発明を実施するための形態】
【００１１】
以下、本実施形態の便器装置１の好ましい一実施形態について、図面を参照しながら説明する。図１は、本発明の一実施形態に係る便器装置１の斜視図である。
便器装置１は、外部の給水源から給水された便器を洗浄する洗浄水と、洗剤を混合して生成した泡とを吐出して洗浄する装置である。図１に示すように、便器装置１は、便器部１０と、機能部３０と、吐泡装置２０と、を備える。
【００１２】
なお、本明細書において、薬剤として洗剤を例に説明するが、薬剤とは洗剤の他に、香料、抗菌・除菌剤等の水以外の成分を含む液体を意味する。また、水を電気分解等して生成されるイオン水等、水に何らかの機能的な変化を加えた液体も「薬剤」の概念に含まれる。
【００１３】
また、以下の説明においては、便器装置１の便座（図示省略）に座った人から視た場合の前後の向きを前後方向とする。また、便器装置１の便座（図示省略）に座った人から視た場合の左右の向きを左右方向とする。また、鉛直方向に沿った上下の向きを上下方向とする。
【００１４】
便器部１０は、設置面に設置される便器本体１１と、洗浄タンク１２（図３参照）と、を有する。便器本体１１は、凹部が形成された便鉢１１ａを有する。洗浄タンク１２には、外部の給水源から延びる給水管１３（図３参照）を介して洗浄水が供給される。便器部１０は、洗浄タンク１２から便鉢１１ａに洗浄水及び泡を吐出して洗浄する。
【００１５】
機能部３０は、便器部１０の後方上部に配置され、便器装置１の各種機能を実行するために必要な部品が配置される部分である。機能部３０の前部は、便座（図示せず）及び便蓋３０２を回動自在に軸支している。機能部３０は、泡を生成するための洗剤を貯留する貯留部としてのタンク４及びタンク４が取り付けられるベースプレート３１を有する。
【００１６】
図２は、便器部１０と機能部３０が接続される接続部２の近傍を示す図である。
ベースプレート３１は、図２に示すように、板状の支持部であり、タンク４を取り付ける取り付け凹部３２を有する。ベースプレート３１の上部の全体は、後部上面カバー３０３により覆われている。
取り付け凹部３２は、ベースプレート３１の平面から下方に窪んだ略円形の凹部であり、接続管３２１と、貫通孔３２２と、を有する。
接続管３２１は、取り付け凹部３２の下面の略中心から下方（便器部１０側）に向かって突出する管である。接続管３２１は、タンク４から流出する洗剤を便器部１０へ供給する供給口となる。
貫通孔３２２は、取り付け凹部３２の中心に形成され、接続管３２１の内部に延びる。
【００１７】
受け皿部６は、ベースプレート３１の取り付け凹部３２に配置され、タンク４の流出口部４２を受け入れる。受け皿部６は、略円形の底面部６３と、底面部６３の周囲から起立する側面部６４とを有する有底筒状の形状を有する。受け皿部６は、側面部６４の内側に、後述するタンク４の突出部４２１を配置可能な寸法を有する。また、受け皿部６は、貫通孔６１と、ボス６２とを有する。
ボス６２は、取り付け凹部３２の底面部６３の中央部に配置され、上方に突出する。
貫通孔６１は、ボス６２の周囲に形成され、ボス６２と貫通孔６１の外側にある底面部６３とは、部分的に繋がっている。貫通孔６１を介して、洗剤が接続部２側に流れる。貫通孔６１は、ベースプレート３１の接続管３２１と連通している。
【００１８】
タンク４は、ベースプレート３１に着脱可能に配置され、ベースプレート３１の後部上面カバー３０３を開けると、使用者により取り出し可能になっている。タンク４は、タンク本体４０と、流出口部４２と、開閉弁４３と、キャップ部４５と、を有する。
【００１９】
タンク本体４０は、内部に洗剤を収容可能な容器であり、略直方体に構成されている。
流出口部４２は、タンク本体４０の下部における略中央部に形成される開口部である。流出口部４２は、タンク本体４０の下部から下方に突出する円筒形の突出部４２１に形成されており、突出部４２１の周囲には、ねじが形成されている。流出口部４２から洗剤が流出可能になっている。流出口部４２は、ベースプレート３１からタンク４を取り外すことで、洗剤を補充する際に補充口として用いられる。
【００２０】
キャップ部４５は、タンク４の流出口部４２に設けられ、後述する受け皿部６に接続される。キャップ部４５は、突出部４２１に係合可能な略円筒形の蓋であり、周縁部４５１と、底部４５２と、管状部４５３と、を有する。
【００２１】
周縁部４５１は、外側壁と内側壁とで二重になっており、内側壁が突出部４２１のねじに螺合し、上下方向に延びるキャップ部４５の外壁を構成する。
底部４５２は、流出口部４２を塞ぐ方向に延びるフランジ状の平坦な面である。底部４５２の中心には、円形の貫通孔４５２ａが形成されている。
管状部４５３は、底部４５２から下方に突出する略円筒形の管状部であり、タンク４から便器部１０側へ向かう洗剤の流路となる。管状部４５３には、図２に示すように、管を遮る方向に延びて管状部４５３の流路を狭める支持部４５３ａが形成されている。支持部４５３ａの中心には円形の貫通孔４５３ｂが形成されており、後述する開閉弁４３が挿通可能になっている。なお、支持部４５３ａの貫通孔４５３ｂは、底部４５２の貫通孔４５２ａよりも径が小さい。
底部４５２の貫通孔４５２ａと、管状部４５３における支持部４５３ａに形成された貫通孔４５３ｂと、管状部４５３の下端の円形の開口とは、それぞれ径が異なるが、上下方向に同心に並んでいる。
【００２２】
開閉弁４３は、流出口部４２の突出部４２１内に配置され、流出口部４２を開閉する。ディスク部４３１と、バネ４３２と、シャフト４３３と、シールパッキン４３４と、を有する。
ディスク部４３１は、キャップ部４５の管状部４５３の下流側に配置される円形状の基部である。ディスク部４３１は、管状部４５３内の支持部４５３ａの下流側に位置している。
シャフト４３３は、ディスク部４３１の中心から上方向に延びる円柱状の軸部である。
バネ４３２は、シャフト４３３の周囲に取り付けられるコイルバネである。
シールパッキン４３４は、シャフト４３３の上部側に取り付けられる略円形の弾性部材であり、底部４５２の貫通孔４５２ａよりも径が大きい。
【００２３】
開閉弁４３は、受け皿部６のボス６２により押し上げられる。詳細には、タンク４のキャップ部４５が受け皿部６に嵌合され、突出部４２１が受け皿部６に接続されると同時に、ボス６２がキャップ部４５の管状部４５３内のディスク部４３１を上方へ押す。この動作により、突出部４２１内に位置している開閉弁４３が上方に押し上げられる。ディスク部４３１が上方にある間は、シールパッキン４３４も上方に位置する。シールパッキン４３４が上方に移動するので、突出部４２１内の流出口部４２が開き、同時に、キャップ部４５の貫通孔４５２ａが開かれる。シールパッキン４３４が上に位置している間、底部４５２の貫通孔４５２ａは開いており、支持部４５３ａの貫通孔４５３ｂにも隙間が開いているので、洗剤はタンク本体４０から管状部４５３内へ流入し、受け皿部６の中央部の貫通孔６１を介して下方に流れる。
タンク４を持ち上げて機能部３０から取り出すと、流出口部４２の突出部４２１がディスク部４３１を上に押し上げていたボス６２から離れるので、シールパッキン４３４が下がり、底部４５２の貫通孔４５２ａを塞ぐので、洗剤は零れ落ちない。
【００２４】
接続部２は、便器部１０の後部上方で、機能部３０の下方に配置される管状の通路を有する。接続部２は、一端がベースプレート３１の裏側に向かって延び、ベースプレート３１に接続される。具体的には、接続部２は、ベースプレート３１に対向する平面を有し、取り付け凹部３２の下方に開口する開口部である。接続部２にベースプレート３１の接続管３２１が挿入され、接続部２の内側面には、接続管３２１との間の隙間を塞ぐシール部材２８が配置される。シール部材２８は、平面視ドーナツ型で所定の高さを有する弾性部材である。シール部材２８は、接続部２の内壁側に嵌まるとともに、中央部に配置された貫通孔に接続管３２１が貫通するように構成されるスリップインパッキンである。接続部２に設けられたシール部材２８に、ベースプレート３１の接続管３２１をスリップインして挿入することで、機能部３０と便器部１０とが接続される。
【００２５】
図３は、吐泡装置２０を説明する模式図である。
図３に示すように、吐泡装置２０は、洗剤、水及び空気を混合して泡を生成し、吐出する装置である。吐泡装置２０は、タンク４と、泡発生用給水路２１と、泡生成部２２と、薬剤供給路としての第１ホース２３と、泡ポンプ２４と、第２ホース２５と、空気供給管２６と、泡供給管２７とを有する。吐泡装置２０のうちタンク４は、機能部３０に取り付けられており、他の構成部材（泡発生用給水路２１、泡生成部２２と、第１ホース２３、泡ポンプ２４、第２ホース２５、空気供給管２６、泡供給管２７）は、便器部１０に配置されている。
【００２６】
泡発生用給水路２１は、外部の給水源から延びる給水管から分岐して、洗浄水を供給する給水管１３とは別に延びる配管により構成され、上水が流通する。
泡生成部２２は、泡発生用給水路２１に接続され、洗剤及び空気の供給を受ける。泡生成部２２は、洗剤及び泡発生用給水路２１から供給される泡発生用の水に、空気を混入し微細化して微細気泡を含有させ、泡を生成するエゼクタである。
第１ホース２３は、上流端がタンク４に接続され、タンク４に貯留されている洗剤を泡生成部２２へ供給するフレキシブルな管である。
泡ポンプ２４は、第１ホース２３の下流端に接続され、第１ホース２３に接続されたタンク４から洗剤を吸引するポンプである。
第２ホース２５は、泡ポンプ２４と泡生成部２２とを接続するフレキシブルな管であり、泡ポンプ２４により吸引された洗剤を泡生成部２２へ供給する。
空気供給管２６は、泡生成部２２に接続され、泡を発生させるための空気を泡生成部２２に供給する管である。
泡供給管２７は、便鉢１１ａに泡を吐出するように配置される。泡生成部２２で生成された泡は、洗浄タンク１２から排出される洗浄水とともに便鉢１１ａへ排出される。泡は、便鉢１１ａの下部の貯水部（図示せず）に流れ、水よりも軽い泡によって貯留部の水面を覆う。
【００２７】
次に、タンク４の取付手順について説明する。接続部２を有する便器部１０の後方に、ベースプレート３１を設置する。このベースプレート３１の取り付け凹部３２に、タンク４の流出口部４２を取り付ける。
【００２８】
図２に示すように、タンク４の突出部４２１に形成される流出口部４２が接続部２に接続されると、機能部３０から便器部１０へ洗剤が流れる連通路が形成される。すなわち、流出口部４２、受け皿部６の貫通孔６１及びベースプレート３１の接続管３２１の貫通孔３２２が、接続部２に連通する。流出口部４２から流出する洗剤は、受け皿部６の貫通孔６１を通過し、接続管３２１を通過して便器部１０の接続部２へ供給される。
【００２９】
接続部２は、第１ホース２３に接続されているので、接続部２を通過した洗剤は、泡ポンプ２４に吸引されて泡生成部２２へ送られる。泡生成部２２では、泡発生用給水路２１から水、空気供給管２６から空気、第２ホース２５から洗剤がそれぞれ供給され、泡が生成される。
【００３０】
本実施形態によれば、以下の効果が奏される。
本実施形態では、便鉢１１ａに洗剤を吐出して洗浄する便器装置１を、便鉢１１ａを有する便器部１０と、便器部１０の後方に配置され、洗剤を貯留するタンク４及びタンク４が取り付けられるベースプレート３１を有する機能部３０と、を含んで構成した。便器部１０を、ベースプレート３１に接続される接続部２を含んで構成し、接続部２に、タンク４に設けられ洗剤が流出する流出口部４２が連通させた。
ベースプレート３１を便器部１０の接続部２にスリップイン方式で接続することで、機能部３０のタンク４の流出口部４２から便器部１０に洗剤が流れるので、洗剤を流出させる流出口部４２にホース等の複雑な部品を配置する必要がなくなる。これにより、タンク４の接続時のホースの座屈やタンクとホースの接続部における接続不良、ホースの座屈による劣化や詰まりを回避できる。またホースを用いて接続する場合には、ホースを接続するために接続部材等の細かな部品を取り付ける必要があるが、部品の取付けを部分的に忘れたり、接続部材の破損等が発生しやすく、不具合が生じる確率が多くなることが考えられる。しかし、本実施形態のスリップイン方式の接続により、このような不具合の発生を防止し、施工が容易な泡洗浄の便器装置１を提供することができる。
【００３１】
本実施形態では、ベースプレート３１を、ベースプレート３１から下方に窪む取り付け凹部３２を含んで構成し、取り付け凹部３２に、流出口部４２を受け入れるとともに流出口部４２から流出する洗剤が通過する貫通孔６１が形成される受け皿部６を配置した。また、流出口部４２及び受け皿部６の貫通孔６１を、接続部２に連通させた。
ベースプレート３１に受け皿部６を配置して、受け皿部６で流出口部４２を受け入れるようにすることで、仮に流出口部４２から洗剤が漏れてしまっても、受け皿部６で止まり、機能部３０に流出することを防止することができる。
【００３２】
ベースプレート３１を、受け皿部６の貫通孔６１と連通し、取り付け凹部３２の下面から便器部１０側に突出する接続管３２１を含んで構成し、接続管３２１を、接続部２に挿入した。また、接続部２に、接続管３２１と接続部２の内側面との間の隙間を塞ぐシール部材２８を配置した。
接続部２内にシール部材２８が配置されているので、ベースプレート３１から延びる接続管３２１を接続部２のシール部材２８に挿入するだけで洗剤が流通する。このため、施工がより容易になるとともに、洗剤の漏れも防止できる。
【００３３】
タンク４は、ベースプレート３１に着脱可能であり、タンク４は、洗剤を収容するタンク本体４０と、タンク本体４０の下部から下方に突出し、流出口部４２が形成される突出部４２１と、突出部４２１内に配置され、流出口部４２を開閉可能な開閉弁４３と、を含んで構成した。また、受け皿部６を、突出部４２１を内側に配置可能な寸法を有し、底面部６３から上方に向かって突出し突出部４２１が受け皿部６に接続されると同時に開閉弁４３を押し上げるボス６２を含んで構成した。
タンク４の流出口部４２を、タンク４の下部から突出する突出部４２１に形成するとともに突出部内に開閉弁４３を配置し、受け皿部６からボス６２を突出させて、突出部４２１が受け皿部６に嵌合すると同時にボス６２により開閉弁４３を押し上げるように構成した。これにより、ベースプレート３１が接続部２に接続されると同時に洗剤が便器部１０に流れるように連通路が形成される。このため、ホースや他の細かい部品を用いる必要がなくなり、施工が容易になる。
【００３４】
以上、本発明の好ましい実施形態について説明したが、本発明は、上述の実施形態に制限されるものではなく、適宜変更が可能である。
例えば、上記実施形態では、貯留部はタンク４として説明しているが、これに限られない。貯留部は、ベースプレートに直接形成された凹部であってもよい。
【００３５】
また、上記実施形態では、接続部２は、ベースプレート３１に対向する平面に形成された開口部として説明したが、これに限られない。接続部は、取り付け凹部３２の下方に配置され、接続管３２１に接続可能な管により構成してもよい。
【００３６】
また、上記実施形態では、ベースプレート３１を便器部１０に設置した後でタンク４をベースプレート３１に取り付けたが、これに限られない。タンク４をベースプレート３１に取り付けた状態で、ベースプレート３１を便器部１０に設置してもよい。
【符号の説明】
【００３７】
１      便器装置
２      接続部
４      タンク（貯留部）
６      受け皿部
１０    便器部
１１ａ  便鉢
２８    シール部材
３１    ベースプレート
３２    取り付け凹部
４０    タンク本体
４２    流出口部
４３    開閉弁
６１    貫通孔
６２    ボス
６３    底面部
３２１  接続管
４２１  突出部
【図１】
2020002653.tif 000003
【図２】
2020002653.tif 000004
【図３】
2020002653.tif 000005